(57)【要約】 【課題】燃料油の成分を適宜調整して供給可能とする燃料油供給システムを提供する。【解決手段】成分認識手段３２５Ａにより検出した車両へ供給するガソリンの成分に基づいて、混合割合設定手段３２５Ｂによりガソリン、エタノールおよびＥＴＢＥの混合割合を設定し、給油装置３１０における貯蔵するガソリン、エタノールおよびＥＴＢＥを、給油制御手段３１２で各流量を制御してそれぞれ車両へ適宜供給させる。利用者毎に対応した成分でガソリンを供給できる。【選択図】 図３
2007055661.tif 000002
【特許請求の範囲】
【請求項１】
燃料油を燃料油被供給体へ供給するための燃料油供給制御装置であって、
前記燃料油被供給体へ供給する前記燃料油の成分に関する信号を検出する信号検出手段と、
前記検出した信号に基づいて、前記燃料油に混合可能な酸素含有炭化水素化合物と前記燃料油との混合割合を設定する混合割合設定手段と、
前記混合割合に基づいて、燃料油貯蔵手段に貯蔵された前記燃料油および化合物貯蔵手段に貯蔵された前記酸素含有炭化水素化合物を前記燃料油被供給体へ給油する給油経路における前記燃料油および前記酸素含有炭化水素化合物の各流量を制御して前記燃料油被供給体へ供給させる給油制御手段と、
を具備したことを特徴とした燃料油供給制御装置。
【請求項２】
前記燃料油を貯蔵する燃料油貯蔵手段と、
前記酸素含有炭化水素化合物を貯蔵する化合物貯蔵手段と、
前記燃料油貯蔵手段に貯蔵された前記燃料油を流通する燃料油流通経路、および前記化合物貯蔵手段に貯蔵された前記酸素含有炭化水素化合物を流通する化合物流通経路を備えた給油経路と、
請求項１に記載の燃料油供給制御装置と、
を具備したことを特徴とした燃料油供給装置。
【請求項３】
燃料油を燃料油被供給体へ供給する燃料油供給装置であって、
前記燃料油を貯蔵する燃料油貯蔵手段と、
前記燃料油に混合可能な酸素含有炭化水素化合物を貯蔵する化合物貯蔵手段と、
前記燃料油被供給体へ供給する前記燃料油の成分に関する信号を検出する信号検出手段と、
前記検出した信号に基づいて、前記燃料油および前記酸素含有炭化水素化合物の混合割合を設定し、この設定された混合割合に基づいて、前記燃料油貯蔵手段に貯蔵する燃料油、および前記化合物貯蔵手段に貯蔵する酸素含有炭化水素化合物を前記燃料油被供給体へ供給させる供給手段と、
を具備したことを特徴とした燃料油供給装置。
【請求項４】
請求項３に記載の燃料油供給装置であって、
前記供給手段は、
前記燃料油を流通する燃料油流通経路と、
前記酸素含有炭化水素化合物を流通する化合物流通経路と、
前記信号検出手段で検出した信号に基づいて前記燃料油および前記酸素含有炭化水素化合物の混合割合を設定し、この前記設定した混合割合に基づいて前記燃料油流通経路および前記化合物流通経路の流通状態を制御する制御手段と、
前記燃料油流通経路を流通する燃料油および前記化合物流通経路を流通する前記酸素含有炭化水素化合物を前記燃料油被供給体へ混合した状態で供給する供給部と、を備えた
ことを特徴とした燃料油供給装置。
【請求項５】
請求項２ないし請求項４のいずれかに記載の燃料油供給装置であって、
前記信号検出手段は、前記燃料油被供給体に設けられた出力手段から出力され、前記燃料油として適応可能な前記燃料油の成分に関する出力信号を前記信号として検出する
ことを特徴とした燃料油供給装置。
【請求項６】
請求項５に記載の燃料油供給装置であって、
前記信号検出手段は、前記出力手段から出力される無線媒体による前記出力信号を受信することで前記信号を検出する
ことを特徴とした燃料油供給装置。
【請求項７】
請求項２ないし請求項４のいずれかに記載の燃料油供給装置であって、
入力操作可能に設けられ、入力操作に応じて前記燃料油の成分に関する信号を出力する操作手段を具備し、
前記信号検出手段は、前記操作手段から出力される信号を検出する
ことを特徴とした燃料油供給装置。
【請求項８】
請求項７に記載の燃料油供給装置であって、
前記操作手段は、前記酸素含有炭化水素化合物を前記燃料油に混合する混合割合に関する入力操作に応じた操作信号を出力し、
前記信号検出手段は、前記操作信号に基づいて前記信号を検出する
ことを特徴とした燃料油供給装置。
【請求項９】
請求項２ないし請求項８のいずれかに記載の燃料油供給装置であって、
前記燃料油は、ガソリン、軽油、灯油、重油、および、ナフサのうちのいずれかである
ことを特徴とした燃料油供給装置。
【請求項１０】
請求項２ないし請求項９のいずれかに記載の燃料油供給装置であって、
前記酸素含有炭化水素化合物は、アルコールと、エーテルと、エステルとのうちの少なくともいずれか１つである
ことを特徴とした燃料油供給装置。
【請求項１１】
請求項１０に記載の燃料油供給装置であって、
前記アルコールは、エタノールである
ことを特徴とした燃料油供給装置。
【請求項１２】
請求項１０または請求項１１に記載の燃料油供給装置であって、
前記エーテルは、イソブテンとエタノールとの反応に基づいて生成されたエチル−ターシャリ−ブチル−エーテル（Ethyl Tertiary Butyl Ether：ＥＴＢＥ）である
ことを特徴とした燃料油供給装置。
【請求項１３】
請求項１０ないし請求項１２のいずれかに記載の燃料油供給装置であって、
前記エステルは、脂肪酸メチルエステルまたは脂肪酸エチルエステルである
ことを特徴とした燃料油供給装置。
【請求項１４】
請求項２ないし請求項１３のいずれかに記載の燃料油供給装置であって、
前記燃料油被供給体へ前記燃料油を供給する給油所に設置された
ことを特徴とした燃料油供給装置。
【請求項１５】
燃料油を燃料油被供給体へ供給する燃料油供給方法であって、
前記燃料油被供給体へ供給する前記燃料油の成分に関する信号に基づいて、前記燃料油および前記燃料油に混合可能な酸素含有炭化水素化合物の混合割合を設定し、
この設定した混合割合に対応して前記燃料油および前記酸素含有炭化水素化合物を混合して前記燃料油被供給体へ供給する
ことを特徴とする燃料油供給方法。
【請求項１６】
演算手段を請求項１に記載の燃料油供給制御装置として機能させる
ことを特徴とした燃料油供給制御プログラム。
【発明の詳細な説明】
【技術分野】
【０００１】
本発明は、例えばガソリンスタンドにおいて自動車などの燃料油被供給体へ供給する燃料油として、利用者による入力設定に応じて成分調整可能な燃料油供給制御装置、燃料油供給装置、燃料油供給方法、および、燃料油供給制御プログラムに関する。
【背景技術】
【０００２】
従来、例えば自動車の燃料油として、ガソリンにアルコールを混合した混合燃料油や、アルコールを原料として生成されたエチル−ターシャリ−ブチル−エーテル（Ethyl Tertiary Butyl Ether：ＥＴＢＥ）をガソリンに混合した混合燃料油が知られている。
また、ガソリンに、プロパノールなどの水分除去剤を添加し、自動車の燃料タンク内に発生あるいは侵入した水分を、ガソリンに添加されガソリンと混合するプロパノールなどの水分除去剤に溶解させて、発生あるいは侵入した水分がガソリンと分離して存在することによる不都合を防止する構成が知られている。
これらのように、ガソリンにアルコールが混合する混合燃料油に関し、各種関連技術が知られている（例えば、特許文献１参照）。
【０００３】
特許文献１に記載のものは、炭化水素製品ライン中に所定の赤外線スペクトル領域内の選択した波長の光路長を設け、光路を通った光を検出する。そして、得られた信号をスペクトル分析し、オクタン価、セタン価、密度、蒸気圧、ガソリン／アルコール比などの炭化水素製品の物理的特性データと相関させ、炭化水素製品の物理的特性データをオンライン測定している。
【０００４】
【特許文献１】特表平８−５０１８７８号公報
【発明の開示】
【発明が解決しようとする課題】
【０００５】
ところで、近年、例えば自動車などの排ガスによる炭酸ガスの排出による大気汚染が深刻化しており、燃料油としても植物由来のアルコールやバイオマス由来のアルコールを混合することが提案されている。
しかしながら、車両によってはアルコールが混入する燃料油に対応できないもの、あるいは、混入するアルコール量が車両毎に異なるなど、一律に燃料油にアルコールを混合したものを提供することができない不都合がある。
【０００６】
本発明は、このような点などに鑑みて、燃料油の成分が適宜調整されて供給可能な燃料油供給制御装置、燃料油供給装置、燃料油供給方法、および、燃料油供給制御プログラムを提供することを目的とする。
【課題を解決するための手段】
【０００７】
本発明の燃料油供給制御装置は、燃料油を燃料油被供給体へ供給するための燃料油供給制御装置であって、前記燃料油被供給体へ供給する前記燃料油の成分に関する信号を検出する信号検出手段と、前記検出した信号に基づいて、前記燃料油に混合可能な酸素含有炭化水素化合物と前記燃料油との混合割合を設定する混合割合設定手段と、前記混合割合に基づいて、燃料油貯蔵手段に貯蔵された前記燃料油および化合物貯蔵手段に貯蔵された前記酸素含有炭化水素化合物を前記燃料油被供給体へ給油する給油経路における前記燃料油および前記酸素含有炭化水素化合物の各流量を制御して前記燃料油被供給体へ供給させる給油制御手段と、を具備したことを特徴とする。
この発明では、信号検出手段により燃料油被供給体へ供給する燃料油の成分に関する信号を検出すると、混合割合設定手段により、燃料油に混合可能な酸素含有炭化水素化合物と、燃料油との混合割合を設定する。そして、給油制御手段により、設定された混合割合に基づいて、燃料油貯蔵手段に貯蔵された燃料油および化合物貯蔵手段に貯蔵された酸素含有炭化水素化合物を燃料油被供給体へ給油する給油経路における燃料油および酸素含有炭化水素化合物の各流量を制御して供給させる。
このことにより、利用者による入力設定に対応した燃料油の成分に関する信号に基づいて、利用者が要求する燃料油の成分で酸素含有炭化水素化合物が燃料油に混合した状態で供給されることとなり、利用者毎に対応した成分で燃料油が供給される。また、例えば大気中の二酸化炭素を炭素分として固定する植物などの農林産物やバイオマスを燃料として利用可能なアルコールやエーテルなどの酸素含有炭化水素化合物として利用しても、大気中の二酸化炭素はネットで増加しないことから、利用者による入力設定に応じて燃料油の少なくとも一部を酸素含有炭化水素化合物に置換することで、燃料油被供給体から排出される排ガス中の二酸化炭素などの炭酸ガスの排出量が低減するので、大気汚染の抑制も得られる。
【０００８】
本発明の燃料油供給装置は、前記燃料油を貯蔵する燃料油貯蔵手段と、前記酸素含有炭化水素化合物を貯蔵する化合物貯蔵手段と、前記燃料油貯蔵手段に貯蔵された前記燃料油を流通する燃料油流通経路、および前記化合物貯蔵手段に貯蔵された前記酸素含有炭化水素化合物を流通する化合物流通経路を備えた給油経路と、請求項１に記載の燃料油供給制御装置と、を具備したことを特徴とする。
この発明では、利用者毎に対応した成分で燃料油を供給させる制御をする請求項１に記載の燃料油供給制御装置により、燃料油貯蔵手段に貯蔵された燃料油および化合物貯蔵手段に貯蔵された酸素含有炭化水素化合物を燃料油被供給体へ給油する燃料油流通経路および化合物流通経路の各流量を制御する構成としている。
このことにより、既存の設備を利用して容易に利用者が要求する成分で燃料油を供給する構成が得られる。
【０００９】
本発明の燃料油供給装置は、燃料油を燃料油被供給体へ供給する燃料油供給装置であって、前記燃料油を貯蔵する燃料油貯蔵手段と、前記燃料油に混合可能な酸素含有炭化水素化合物を貯蔵する化合物貯蔵手段と、前記燃料油被供給体へ供給する前記燃料油の成分に関する信号を検出する信号検出手段と、前記検出した信号に基づいて、前記燃料油および前記酸素含有炭化水素化合物の混合割合を設定し、この設定された混合割合に基づいて、前記燃料油貯蔵手段に貯蔵する燃料油、および前記化合物貯蔵手段に貯蔵する酸素含有炭化水素化合物を前記燃料油被供給体へ供給させる供給手段と、を具備したことを特徴とする。
この発明では、信号検出手段により燃料油被供給体へ供給する燃料油の成分に関する信号を検出すると、供給手段により、検出した信号に基づいて、燃料油および酸素含有炭化水素化合物の混合割合を設定する。そして、供給手段により、設定した混合割合に基づいて、燃料油貯蔵手段に貯蔵された燃料油、および化合物貯蔵手段に貯蔵された酸素含有炭化水素化合物を燃料油被供給体へ適宜供給する。
このことにより、利用者による入力設定に対応し利用者が要求する燃料油の成分で、酸素含有炭化水素化合物が燃料油に混合した状態で供給されるので、利用者毎に対応した成分で燃料油が供給される。また、例えば大気中の二酸化炭素を炭素分として固定する植物などの農林産物やバイオマスを燃料として利用可能なアルコールやエーテルなどの酸素含有炭化水素化合物として利用しても、大気中の二酸化炭素はネットで増加しないことから、利用者による入力設定に応じて燃料油の少なくとも一部を酸素含有炭化水素化合物に置換することで、燃料油被供給体から排出される排ガス中の二酸化炭素などの炭酸ガスの排出量が低減するので、大気汚染の抑制も得られる。
【００１０】
そして、本発明では、請求項３に記載の燃料油供給装置であって、前記供給手段は、前記燃料油を流通する燃料油流通経路と、前記酸素含有炭化水素化合物を流通する化合物流通経路と、前記信号検出手段で検出した信号に基づいて前記燃料油および前記酸素含有炭化水素化合物の混合割合を設定し、この前記設定した混合割合に基づいて前記燃料油流通経路および前記化合物流通経路の流通状態を制御する制御手段と、前記燃料油流通経路を流通する燃料油および前記化合物流通経路を流通する前記酸素含有炭化水素化合物を前記燃料油被供給体へ混合した状態で供給する供給部と、を備えた構成とすることが好ましい。
この発明では、制御手段により、信号検出手段で検出した信号に基づいて燃料油および酸素含有炭化水素化合物の混合割合を設定する。そして、制御手段により、設定した混合割合に基づいて、燃料油流通経路を流通する燃料油の流通状態と、化合物流通経路を流通する酸素含有炭化水素化合物の流通状態を制御する。この制御手段により流通状態が制御されて燃料油流通経路を流通する燃料油および化合物流通経路を流通する酸素含有炭化水素化合物を、供給部から燃料油被供給体へ混合した状態で供給させる。
このことにより、例えば、燃料油貯蔵手段に貯蔵された燃料油を流通させる燃料油流通経路におけるポンプやバルブ、化合物貯蔵手段に貯蔵された酸素含有炭化水素化合物を流通させる化合物流通経路におけるポンプやバルブなどを、制御手段により制御する簡単な構成で、利用者が要求する所定の成分で燃料油が供給される。
【００１１】
また、本発明では、請求項２ないし請求項４のいずれかに記載の燃料油供給装置であって、前記信号検出手段は、前記燃料油被供給体に設けられた出力手段から出力され、前記燃料油として適応可能な前記燃料油の成分に関する出力信号を前記信号として検出する構成とすることが好ましい。
この発明では、信号検出手段により、燃料油被供給体に設けられた出力手段から出力され燃料油として適応可能な燃料油の成分に関する出力信号を取得して、燃料油被供給体へ供給する燃料油の成分に関する信号として検出する。
このことにより、利用者が要求する燃料油の成分として入力設定する操作が不要で、自動的に燃料油および酸素含有炭化水素化合物の混合割合が設定されて供給されることとなり、利便性が向上し、利用の拡大が容易となる。特に、例えば燃料油の適用可能な成分がそれぞれ異なる燃料油被供給体としての車両へ燃料油を供給する給油所などでは、各利用者が燃料油の供給を受ける毎に操作を実施する必要がなく、好適である。
【００１２】
また、本発明では、請求項５に記載の燃料油供給装置であって、前記信号検出手段は、前記出力手段から出力される無線媒体による前記出力信号を受信することで前記信号を検出する構成とすることが好ましい。
この発明では、信号検出手段により、燃料油被供給体に設けられた出力手段から無線媒体により出力される出力信号を受信することで、燃料油被供給体へ供給する燃料油の成分に関する信号として検出する。
このことにより、無線媒体により遠隔的に供給する燃料油の成分が設定されることにより、自動的に所定の成分の燃料油を供給する構成が簡単な構成で容易に得られる。
ここで、無線媒体としては、赤外線などの光、電波、音波、電磁波、磁気など、各種形態が適用できる。
【００１３】
さらに、本発明では、請求項２ないし請求項４のいずれかに記載の燃料油供給装置であって、入力操作可能に設けられ、入力操作に応じて前記燃料油の成分に関する信号を出力する操作手段を具備し、前記信号検出手段は、前記操作手段から出力される信号を検出する構成とすることが好ましい。
この発明では、入力操作可能に設けられた操作手段から利用者が燃料油の成分に関する入力操作に応じて所定の信号を出力し、この操作手段から出力される信号を信号検出手段で燃料油被供給体へ供給する燃料油の成分に関する信号として検出する。
このことにより、例えば給油所などで、利用者毎に要求する成分が異なる場合でも適応できる。また、例えば利用者が大気汚染を考慮して燃料油被供給体の適用可能な範囲で酸素含有炭化水素化合物の混合割合を適宜設定するなども可能で、より利用者の要求に応じた成分で燃料油が供給され、利用者の環境への意識向上にも寄与する。
【００１４】
そして、本発明では、請求項７に記載の燃料油供給装置であって、前記操作手段は、前記酸素含有炭化水素化合物を前記燃料油に混合する混合割合に関する入力操作に応じた操作信号を出力し、前記信号検出手段は、前記操作信号に基づいて前記信号を検出する構成とすることが好ましい。
この発明では、操作手段により酸素含有炭化水素化合物を燃料油に混合する混合割合に関する利用者による入力操作に応じた操作信号が出力されると、信号検出手段が操作信号に基づいて燃料油被供給体へ供給する燃料油の成分に関する信号として検出する。
このことにより、燃料油の成分として、利用者が燃料油に混合する酸素含有炭化水素化合物の混合割合を直接的に入力操作するので、供給する燃料油として、燃料油と酸素含有炭化水素化合物との混合割合の設定が操作信号を直接的に取得することで設定されるので、燃料油の供給処理が容易となるとともに、酸素含有炭化水素化合物を混合する割合を利用者が設定するので、酸素含有炭化水素化合物を混合することによる環境への影響も直接的に利用者が実感することとなり、利用者の環境への意識向上により直接的に寄与することとなる。
【００１５】
そして、本発明では、請求項２ないし請求項８のいずれかに記載の燃料油供給装置であって、前記燃料油は、ガソリン、軽油、灯油、重油、および、ナフサのうちのいずれかである構成とすることが好ましい。
この発明では、燃料油として、ガソリン、軽油、灯油、重油、および、ナフサのうちのいずれかを対象としている。
このことにより、利用量が多いガソリン、軽油、灯油、重油、ナフサを対象とするので、これらに混合する酸素含有炭化水素化合物として大気中の二酸化炭素を炭素分として固定する植物などの農林産物やバイオマスを燃料として利用可能なアルコールやエーテルなどとすることで、大気汚染が効率よく抑制される。
【００１６】
また、本発明では、請求項２ないし請求項９のいずれかに記載の燃料油供給装置であって、前記酸素含有炭化水素化合物は、アルコールと、エーテルと、エステルとのうちの少なくともいずれか一つである構成とすることが好ましい。
この発明では、酸素含有炭化水素化合物として、アルコールと、エーテルと、エステルとのうちの少なくともいずれか一つを対象としている。
このことにより、酸素含有炭化水素化合物として燃料油と混合可能なアルコールあるいはエーテルもしくはエステル、またはこれらの組み合わせ双方であることから、燃料油被供給体への影響は少なく、かつ大気中の二酸化炭素を炭素分として固定する植物などの農林産物やバイオマスを有効利用して効率よく容易に生成されるので、大気汚染が効率よく容易に抑制される。
【００１７】
さらに、本発明では、請求項１０に記載の燃料油供給装置であって、前記アルコールは、エタノールである構成とすることが好ましい。
この発明では、酸素含有炭化水素化合物であるアルコールとして、エタノールを利用する。
このことにより、燃料油被供給体への影響は少なく、かつ大気中の二酸化炭素を炭素分として固定する植物などの農林産物やバイオマスを有効利用して特に効率よく容易に生成されるので、大気汚染が効率よく容易に抑制される。
【００１８】
また、本発明では、請求項１０または請求項１１に記載の燃料油供給装置であって、前記エーテルは、イソブテンとエタノールとの反応に基づいて生成されたエチル−ターシャリ−ブチル−エーテル（Ethyl Tertiary Butyl Ether：ＥＴＢＥ）である構成とすることが好ましい。
この発明では、エーテルとしてイソブテンとエタノールとの反応に基づいて生成されたＥＴＢＥを利用する。
このことにより、燃料油に添加することでオクタン価が増大するＥＴＢＥとして利用するので、燃料油供給体が良好に出力できるとともに、取扱が比較的に容易にであり、良好に燃料油と混合されて供給される。
【００１９】
さらに、本発明では、請求項１０ないし請求項１２のいずれかに記載の燃料油供給装置であって、前記エステルは、脂肪酸メチルエステルまたは脂肪酸エチルエステルである構成とすることが好ましい。
この発明では、エステルとして、脂肪酸メチルエステルまたは脂肪酸エチルエステルを利用する。
このことにより、エステルは、油脂とメタノールあるいはエタノールを原料として合成されるので、油脂として動植物油脂脂肪酸や廃食用油などを用い、メタノールあるいはエタノールとして農林産物やバイオマスなどから生成したものを用いることで、大気汚染が効率よく容易に抑制される。
【００２０】
そして、本発明では、請求項２ないし請求項１３のいずれかに記載の燃料油供給装置であって、前記燃料油被供給体へ前記燃料油を供給する給油所に設置された構成とすることが好ましい。
この発明では、燃料油被供給体へ燃料油を供給する給油所に設置する構成としている。
このことにより、燃料油の適用可能な成分がそれぞれ異なる燃料油被供給体としての例えば車両へ燃料油を供給する給油所では、各利用者がそれぞれ要求する成分で燃料油を直接供給することとなるので、利用者が要求する成分で燃料油を供給できる構成が好適に機能する。
【００２１】
本発明の燃料油供給方法は、燃料油を燃料油被供給体へ供給する燃料油供給方法であって、前記燃料油被供給体へ供給する前記燃料油の成分に関する信号に基づいて、前記燃料油および前記燃料油に混合可能な酸素含有炭化水素化合物の混合割合を設定し、この設定した混合割合に対応して前記燃料油および前記酸素含有炭化水素化合物を混合して前記燃料油被供給体へ供給することを特徴とする。
この発明は、請求項２または請求項３に記載の燃料油供給装置を方法に展開したもので、請求項２または請求項３に記載の発明と同様の作用効果を奏する。
【００２２】
本発明の燃料油供給制御プログラムは、演算手段を請求項１に記載の燃料油供給制御装置として機能させることを特徴とする。
この発明では、コンピュータなどの演算手段に読み取らせるなどにより、請求項１に記載の燃料油供給制御装置として機能させる。
このことにより、簡単な構成で容易に利用者が要求する成分で燃料油を供給できる構成が容易に得られ、利用の拡大が容易に図れる。
なお、本発明における演算手段としては、１つのコンピュータに限らず、複数のコンピュータをネットワーク状に組み合わせた構成、ＣＰＵ（Central Processing Unit）やマイクロコンピュータなどの素子、あるいは複数の電子部品が搭載された回路基板などをも含むものである。
【発明を実施するための最良の形態】
【００２３】
以下、本発明の燃料油供給装置に係る実施の一形態を、図面に基づいて説明する。
なお、本実施の形態では、燃料油としてガソリンを対象として、燃料油被供給体としての自動車などの車両に供給すなわち給油する給油所であるガソリンスタンドにおける燃料油供給装置である燃料油供給システムの構成について例示するが、この限りではない。すなわち、燃料油被供給体としては車両に限らず、軌道車、船舶、飛行機などの移動体の他、燃焼炉や乾燥炉などの燃料油を燃焼させる構築物など、燃料油が供給されるいずれの構成を対象とすることができる。さらに、ガソリンスタンドに限らず、燃料油被供給体へ燃料油を供給するいずれの給油所、さらには燃料油および酸素含有炭化水素化合物を貯留し移動可能な給油車両などをも対象とすることができる。
また、ガソリンに限らず、軽油、灯油、ナフサ、重油など、燃料油被供給体で利用する各種燃料を対象とすることができる。さらに、ガソリンとともに供給される酸素含有炭化水素化合物として、エチル−ターシャリ−ブチル−エーテル（Ethyl Tertiary Butyl Ether：ＥＴＢＥ）を例示するが、これに限らず、各種エーテル、あるいはエタノールなどのアルコール、さらには脂肪酸メチルエステルや脂肪酸エチルエステルなどの脂肪酸エステル（Fatty Acid Methyl Ester）など各種エステルをも対象とすることができる。
そして、本実施の形態では、酸素含有炭化水素化合物を混合しない「ガソリン」と、所定の割合で混合する「Ｅ３」（エタノール３％混合ガソリン）、「Ｅ１０」（エタノール１０％混合ガソリン）との油種について例示するが、給油する「ガソリン」として、オクタン価が比較的に低いいわゆる「レギュラーガソリン」やオクタン価が比較的に高いいわゆる「ハイオクガソリン」のように異なる油種で供給する構成をも対象とすることができる。さらには、エタノールとＥＴＢＥとの少なくともいずれか一方を適宜供給でき、いずれか一方のみ混合する状態で供給してもよい。また、「Ｅ３」、「Ｅ１０」の他、「Ｅ２０」、「Ｅ８５」、「Ｅ１００」とすることもでき、「Ｅ８５」、「Ｅ１００」にガソリンを混合する形態も対象とすることができる。さらに、エタノールやＥＴＢＥを混合する場合に限らず、例えば軽油に対してエステルである脂肪酸メチルエステルや脂肪酸エチルエステルを混合する形態にも適用できる。
また、「ガソリン」にエタノールやＥＴＢＥを適宜混合して供給する構成を例示するが、「ガソリン」を供給せずにエタノールやＥＴＢＥのみを供給できる構成や、「ガソリン」のみを供給する構成を排除するものではない。さらに、あらかじめ酸素含有炭化水素化合物があらかじめ混合されたものを「ガソリン」として、この「ガソリン」にさらにエタノールやＥＴＢＥを混合して供給する構成としてもよい。そして、給油の形態としては自動や手動など各種構成が適用できる。
図１は、本発明に係る実施の一形態における燃料油供給システムの概略構成を示す概念図である。図２は、燃料油供給システムを構成する油種設定手段の概略構成を示すブロック図である。図３は、燃料油供給システムを構成する燃料油供給装置の概略構成を示すブロック図である。図４は、給油制御装置の記憶部における売上情報蓄積手段のテーブル構造を示す概念図である。
【００２４】
〔燃料油供給システムの構成〕
図１において、１００は燃料油供給システムで、この燃料油供給システム１００は、燃料油被供給体としての例えば自動車などの車両１０へ燃料油としてのガソリンを供給するためのシステムである。
そして、燃料油供給システム１００は、車両１０に搭載された出力手段としての油種設定手段２００と、燃料油供給装置３００と、を備えている。
【００２５】
（油種設定手段の構成）
油種設定手段２００は、車両１０の適応可能な油種、すなわち車両１０が供給を受けるガソリンの成分に関する設定信号を燃料油供給装置３００へ出力する。
この油種設定手段２００は、図２に示すように、端末送受信部２１０と、端末表示部２２０と、操作手段としても機能する端末操作部２３０と、端末記憶部２４０と、端末制御部２５０と、などを備えている。
【００２６】
端末送受信部２１０は、アンテナ２１１を有している。この端末送受信部２１０は、端末制御部２５０に接続され、無線媒体２１２によりアンテナ２１１を介して燃料油供給装置３００と各種信号を送受信する。
すなわち、端末送受信部２１０は、この油種設定手段２００が搭載される車両１０の適応するガソリンの成分や供給量に関し端末制御部２５０から出力される出力信号である設定信号などの各種を所定のインターフェース処理をして無線媒体２１２で燃料油供給装置３００へ送信する。また、端末送受信部２１０は、燃料油供給装置３００から出力される無線媒体２１２による各種信号、例えば利用者の確認のための信号などを受信し、所定のインターフェース処理をして端末制御部２５０へ出力する。
なお、無線媒体２１２としては、赤外線などの光、電波、音波、電磁波、磁気など、各種形態が適用できる。また、端末送受信部２１０は、無線媒体２１２により燃料油供給装置３００と直接送受信する構成に限らず、例えばＴＣＰ／ＩＰなどの汎用のプロトコルに基づくインターネットなど、給油所に設置され燃料油供給装置３００と各種情報を送受信可能にＬＡＮ（Local Area Network）にて接続されたパーソナルコンピュータなどの端末装置と送受信させるなど、ネットワークを介した送受信を実施する構成などとしてもよい。
【００２７】
端末表示部２２０は、端末制御部２５０に接続され、端末制御部２５０から出力される画像信号を取得して画面表示させる。
この端末表示部２２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなど、いずれのモニタを利用することができる。
【００２８】
端末操作部２３０は、例えば、車両１０に搭乗する搭乗者により入力操作される図示しない各種操作ボタンや操作つまみなどを有している。
そして、端末操作部２３０は、端末制御部２５０に接続され、操作ボタンや操作つまみなどの利用者による入力操作に応じて所定の操作信号を端末制御部２５０へ出力し、端末制御部２５０で入力操作に応じた各種設定項目を入力設定させる。この設定項目としては、油種設定手段２００全体の動作設定の他、ガソリンの成分に関する成分情報、給油に対する決済の実行、などが例示できる。
なお、端末操作部２３０としては、操作ボタンや操作つまみなどの入力操作に限らず、例えば端末表示部２２０に設けられたタッチパネルによる入力操作や、利用者の音声による入力操作、あるいは、リモートコントローラなどの無線媒体による操作信号を出力する構成など、各種設定事項を設定入力可能ないずれの構成が適用できる。
【００２９】
端末記憶部２４０は、端末制御部２５０に接続され、端末操作部２３０で入力操作される各種設定事項の他、給油に適応するガソリンの成分に関する成分情報、利用者に関する個人情報などが記憶されている。
また、端末記憶部２４０には、油種設定手段２００全体を動作制御するＯＳ（Operating System）上に展開される各種プログラムなども記憶している。
なお、端末記憶部２４０としては、ＨＤ（Hard Disk）やＦＤ（Flexible Disk）などの磁気ディスク、ＣＤ（Compact Disc）やＤＶＤ（Digital Versatile Disc）などの光ディスク、光磁気ディスク、メモリカードなどの記録媒体に読み出し可能に記憶するドライブやドライバなどを備えた構成や半導体メモリ、これらの組み合わせなどが例示できる。
【００３０】
端末制御部２５０は、例えばＣＰＵ（Central Processing Unit）を備え、端末送受信部２１０、端末表示部２２０、端末操作部２３０、端末記憶部２４０などと各種情報を送受信可能に接続する図示しない各種入出力ポートを有している。そして、端末制御部２５０は、各種プログラムに基づいて各種信号を処理して適宜動作制御する。
【００３１】
（燃料油供給装置の構成）
燃料油供給装置３００は、車両１０の油種設定手段２００から出力される設定信号や、ガソリンスタンドの作業者あるいは利用者自身の入力操作により給油するガソリンの成分に関する設定信号に基づいて、所定の成分でガソリンを車両１０へ供給する装置である。
この燃料油供給装置３００は、図１および図３に示すように、給油装置３１０と、給油制御装置３２０と、などを備えている。
なお、図１は、説明の都合上、給油装置３１０と、給油制御装置３２０とが近接して設置される別体構造として示すが、このような構成に限らず、例えば一体構成とするなどしてもよい。
【００３２】
給油装置３１０は、給油制御装置３２０に接続され、給油制御装置３２０からの制御信号にしたがって、所定の成分のガソリンを車両１０へ給油する装置である。
この給油装置３１０は、図３に示すように、燃料供給部３１１と、給油制御手段３１２と、などを備えている。
【００３３】
燃料供給部３１１は、燃料油貯蔵手段３１１Ａと、燃料油流通経路３１１Ｂと、燃料油流量検出手段３１１Ｃと、化合物貯蔵手段としても機能するエタノール貯蔵手段３１１Ｄと、化合物流通経路としても機能するエタノール流通経路３１１Ｅと、化合物流量検出手段としても機能するエタノール流量検出手段３１１Ｆと、化合物貯蔵手段としても機能するＥＴＢＥ貯蔵手段３１１Ｇと、化合物流通経路としても機能するＥＴＢＥ流通経路３１１Ｈと、化合物流量検出手段としても機能するＥＴＢＥ流量検出手段３１１Ｉと、供給部としての給油ノズル３１１Ｊと、などを備えている。
なお、エタノール貯蔵手段３１１ＤおよびＥＴＢＥ貯蔵手段３１１Ｇにて本発明の化合物貯蔵手段が構成され、エタノール流通経路３１１ＥおよびＥＴＢＥ流通経路３１１Ｈにて本発明の化合物流通経路が構成され、エタノール流量検出手段３１１ＦおよびＥＴＢＥ流量検出手段３１１Ｉにより本発明の化合物流量検出手段が構成される。
【００３４】
燃料油貯蔵手段３１１Ａは、燃料油である例えばガソリンを貯蔵するタンクなどで、ガソリンスタンドの地面下に設置されている。ここで、ガソリンとしては、例えばオクタン価が８９〜１０２のものが例示できる。
燃料油流通経路３１１Ｂは、燃料油貯蔵手段３１１Ａに接続され、図示しないポンプや電磁バルブなどを備え、燃料油貯蔵手段３１１Ａに貯蔵されたガソリンを流通する図示しない燃料油流通管を備えている。
燃料油流量検出手段３１１Ｃは、燃料油流通経路３１１Ｂに設けられ、燃料油流通管を流通するガソリンの流量を検出し、ガソリン流量信号を生成する。この流量の検出で生成したガソリン流量信号は、給油制御手段３１２へ出力される。
【００３５】
燃料供給部３１１のエタノール貯蔵手段３１１Ｄは、酸素含有炭化水素化合物であるアルコール、例えばエタノールを貯蔵するタンクなどで、ガソリンスタンドの地面下に設置されている。
エタノール流通経路３１１Ｅは、エタノール貯蔵手段３１１Ｄに接続され、図示しないポンプや電磁バルブなどを備え、エタノール貯蔵手段３１１Ｄに貯蔵されたエタノールを流通する図示しないエタノール流通管を備えている。
エタノール流量検出手段３１１Ｆは、エタノール流通経路３１１Ｅに設けられ、エタノール流通管を流通するエタノールの流量を検出し、エタノール流量信号を生成する。この流量の検出で生成したエタノール流量信号は、給油制御手段３１２へ出力される。
【００３６】
なお、エタノールは、例えば、植物や、生ゴミなどの産業廃棄物から生成したバイオマス由来のエタノールであるいわゆるバイオエタノールを用いることが好ましい。
そして、エタノール貯蔵手段３１１Ｄ、エタノール流通経路３１１Ｅは、エタノールによるいわゆるドライコロージョンなどを生じるおそれがある。また、アルコールは、吸水性が高く油分および水との界面活性として機能し得るので、エタノール中に水分が混入するおそれがある。これらのことから、エタノール貯蔵手段３１１Ｄおよびエタノール流通経路３１１Ｅは、エタノールと接触する面に耐食性処理が施された構成や、耐食性材料にて構成するなどが好ましい。
【００３７】
燃料供給部３１１のＥＴＢＥ貯蔵手段３１１Ｇは、酸素含有炭化水素化合物であるエーテル、例えばエチル−ターシャリ−ブチル−エーテル（Ethyl Tertiary Butyl Ether：ＥＴＢＥ）を貯蔵するタンクなどで、ガソリンスタンドの地面下に設置されている。
ＥＴＢＥ流通経路３１１Ｈは、ＥＴＢＥ貯蔵手段３１１Ｇに接続され、図示しないポンプや電磁バルブなどを備え、ＥＴＢＥ貯蔵手段３１１Ｇに貯蔵されたＥＴＢＥを流通する図示しないＥＴＢＥ流通管を備えている。
ＥＴＢＥ流量検出手段３１１Ｉは、ＥＴＢＥ流通経路３１１Ｈに設けられ、ＥＴＢＥ流通管を流通するＥＴＢＥの流量を検出し、ＥＴＢＥ流量信号を生成する。この流量の検出で生成したＥＴＢＥ流量信号は、給油制御手段３１２へ出力される。
【００３８】
なお、ＥＴＢＥは、例えば、石油製品の副産物として生成するイソブテンと、植物や生ゴミなどの産業廃棄物から生成したバイオマス由来のエタノールであるいわゆるバイオエタノールとの反応により生成される。そして、ＥＴＢＥは、原料由来のエタノールや副生成物のブタノールなどのアルコールが含有されるおそれがある。
このことから、上述したエタノール貯蔵手段３１１Ｄおよびエタノール流通経路３１１Ｅのように、ＥＴＢＥ貯蔵手段３１１ＧおよびＥＴＢＥ流通経路３１１Ｈは、ＥＴＢＥと接触する面に耐食性処理が施された構成や、耐食性材料にて構成するなどが好ましい。
【００３９】
給油ノズル３１１Ｊは、燃料油流通経路３１１Ｂの燃料油供給管を流通するガソリンやエタノール流通経路３１１Ｅのエタノール流通管を流通するエタノール、ＥＴＢＥ流通経路３１１ＨのＥＴＢＥ流通管を流通するＥＴＢＥを、車両１０の燃料タンク１１へ供給する。
なお、給油ノズル３１１Ｊは、ガソリンとエタノールとＥＴＢＥとが車両１０へ供給される際に混合される状態に、給油ノズル３１１Ｊに設けられた図示しない開閉弁の位置までガソリン、エタノールおよびＥＴＢＥがそれぞれ独立して流通され、混合したガソリン、エタノールおよびＥＴＢＥが給油ノズル３１１Ｊ内や給油ノズル３１１Ｊより上流側のホース部分などに残留しない構成とすることが好ましい。
また、給油ノズル３１１Ｊは、レバー操作により開閉弁が閉じられる直前に、先にエタノールやＥＴＢＥの供給が終了して多少のガソリンが流れ出てた後にガソリンの供給も終了する状態に構成されていることが好ましい。すなわち、ガソリンのみが給油ノズル３１１Ｊを流れることにより、給油ノズル３１１Ｊがガソリンによりいわゆる共洗いされる状態となり、残留するエタノールやＥＴＢＥ中のアルコールによるドライコロージョンや水分などによる給油ノズル３１１Ｊの損傷が防止される。
【００４０】
給油制御手段３１２は、例えばＣＰＵを備え、給油制御装置３２０からの制御信号にしたがって燃料供給部３１１の動作を制御する。
この給油制御手段３１２は、プログラムとして、燃料油流量制御手段３１２Ａと、エタノール流量制御手段３１２Ｂと、ＥＴＢＥ流量制御手段３１２Ｃと、などを備えている。
【００４１】
燃料油流量制御手段３１２Ａは、給油制御装置３２０から出力される制御信号、例えば車両１０へ供給するガソリンの供給量に関する信号であるガソリン給油量情報を取得する。また、燃料油流量制御手段３１２Ａは、燃料油流量検出手段３１１Ｃからのガソリン流量信号を取得する。さらに、燃料油流量制御手段３１２Ａは、ガソリンスタンドの作業者や利用者による給油ノズル３１１Ｊの操作、例えば開閉弁を開く操作に基づく給油要求信号を認識すると、燃料油流通経路３１１Ｂのポンプや電磁バルブなどを制御して、燃料油貯蔵手段３１１Ａに貯蔵されたガソリンを流通させ給油ノズル３１１Ｊから車両１０へ供給させる制御をする。
この制御の際、ガソリン流量信号により流量を認識しつつガソリンの供給量まで供給させる処理をする。
【００４２】
エタノール流量制御手段３１２Ｂは、給油制御装置３２０から出力される制御信号、例えば車両１０へ供給するエタノールの供給量に関する信号であるエタノール給油量情報を取得する。また、エタノール流量制御手段３１２Ｂは、エタノール流量検出手段３１１Ｆからのエタノール流量信号を取得する。さらに、エタノール流量制御手段３１２Ｂは、燃料油流量制御手段３１２Ａと同様に、給油ノズル３１１Ｊの操作による給油要求信号を認識すると、エタノール流通経路３１１Ｅのポンプや電磁バルブなどを制御して、エタノール貯蔵手段３１１Ｄに貯蔵されたエタノールを流通させ給油ノズル３１１Ｊから車両１０へ供給させる制御をする。
この制御の際、エタノール流量信号により流量を認識しつつエタノールの供給量まで供給させる処理をする。
【００４３】
ＥＴＢＥ流量制御手段３１２Ｃは、給油制御装置３２０から出力される制御信号、例えば車両１０へ供給するＥＴＢＥの供給量に関する信号であるＥＴＢＥ給油量情報を取得する。また、ＥＴＢＥ流量制御手段３１２Ｃは、ＥＴＢＥ流量検出手段３１１ＩからのＥＴＢＥ流量信号を取得する。さらに、ＥＴＢＥ流量制御手段３１２Ｃは、燃料油流量制御手段３１２Ａおよびエタノール流量制御手段３１２Ｂと同様に、給油ノズル３１１Ｊの操作による給油要求信号を認識すると、ＥＴＢＥ流通経路３１１Ｈのポンプや電磁バルブなどを制御して、ＥＴＢＥ貯蔵手段３１１Ｇに貯蔵されたＥＴＢＥを流通させ給油ノズル３１１Ｊから車両１０へ供給させる制御をする。
この制御の際、ＥＴＢＥ流量信号により流量を認識しつつＥＴＢＥの供給量まで供給させる処理をする。
なお、これら燃料油流量制御手段３１２Ａ、エタノール流量制御手段３１２ＢおよびＥＴＢＥ流量制御手段３１２Ｃは、給油開始から給油終了まで、車両１０へ供給するガソリン、エタノール、およびＥＴＢＥの割合が変更しないように、流量を適宜制御する。
【００４４】
給油制御装置３２０は、油種設定手段２００から出力される設定信号や、ガソリンスタンドの作業者や利用者による入力操作に応じた設定信号に基づいて、給油装置３１０を制御して要求に応じた成分のガソリンを供給させる処理をする装置である。
この給油制御装置３２０は、図３に示すように、送受信部３２１と、表示部３２２と、操作手段としての操作部３２３と、記憶部３２４と、演算部３２５と、などを備えている。
【００４５】
送受信部３２１は、油種設定手段２００の端末送受信部２１０と同様に、通信アンテナ３２１Ａを有している。この送受信部３２１は、演算部３２５に接続され、無線媒体２１２により通信アンテナ３２１Ａを介して油種設定手段２００と各種信号を送受信する。
表示部３２２は、油種設定手段２００の端末表示部２２０と同様に、各種モニタが利用でき、演算部３２５に接続され、演算部３２５から出力される画像信号を取得して画面表示させる。
操作部３２３は、油種設定手段２００の端末操作部２３０と同様に、各種構成が適用でき、ガソリンスタンドの作業者や給油を要求する利用者自身が入力操作可能に設けられている。そして、操作部３２３は、演算部３２５に接続され、入力操作に応じた所定の操作信号を演算部３２５へ出力して各種設定項目を演算部３２５に設定入力させる。この設定項目としては、例えば給油量と、ガソリンに混合するエタノールおよびＥＴＢＥの量あるいは割合などの混合割合に関する内容、精算方法などが例示できる。
【００４６】
記憶部３２４は、油種設定手段２００の端末記憶部２４０と同様に各種構成が適用でき、演算部３２５に接続され、演算部３２５が読出可能に各種情報を記憶する。この記憶部３２４は、燃料油情報蓄積手段３２４Ａと、エタノール情報蓄積手段３２４Ｂと、ＥＴＢＥ情報蓄積手段３２４Ｃと、売上情報蓄積手段３２４Ｄと、などを有している。
燃料油情報蓄積手段３２４Ａは、ガソリンに関する各種情報を記憶する記憶領域として構成されている。具体的には、燃料油情報蓄積手段３２４Ａは、ガソリン販売会社によって定められたガソリンの種類やその単価などのガソリンの諸情報を、１つのレコードとして記憶するテーブル構造に構成されている。
エタノール情報蓄積手段３２４Ｂは、エタノールに関する各種情報を記憶する記憶領域として構成されている。具体的には、エタノール情報蓄積手段３２４Ｂは、エタノール販売会社によって定められたエタノールの組成やその単価などのエタノールの諸情報を、１つのレコードとして記憶するテーブル構造に構成されている。
ＥＴＢＥ情報蓄積手段３２４Ｃは、ＥＴＢＥに関する各種情報を記憶する記憶領域として構成されている。具体的には、ＥＴＢＥ情報蓄積手段３２４Ｃは、ＥＴＢＥ販売会社によって定められたＥＴＢＥの組成やその単価などのＥＴＢＥの諸情報を、１つのレコードとして記憶するテーブル構造に構成されている。
売上情報蓄積手段３２４Ｄは、給油毎の売上情報を記憶する記憶領域として構成されている。具体的には、売上情報蓄積手段３２４Ｄは、ガソリンの給油、あるいはエタノールもしくはＥＴＢＥの給油、またはガソリンとエタノールとＥＴＢＥとの少なくともいずれか２つの混合燃料として販売した毎に、例えば販売日時、給油した燃料油の油種、成分、量、決算方法などが１つのレコードとした売上情報として複数記憶するテーブル構造に構成されている。例えば、売上情報蓄積手段３２４Ｄは、図４に示すように、燃料油の販売毎に設定される識別番号であるＩＤ（identification）番号に関するＩＤ番号情報３２４Ｃ１Ａと、給油した日時に関する日時情報３２４Ｃ１Ｂと、エタノールやＥＴＢＥを混合しない「ガソリン」か、エタノールを所定量混合する「Ｅ１０」あるいは「Ｅ３」を示す油種に関する油種情報３２４Ｃ１Ｃと、総給油量に関する総給油量情報３２４Ｃ１Ｄと、ガソリンの給油量に関するガソリン給油量情報３２４Ｃ１Ｅと、エタノールの給油量に関するエタノール給油量情報３２４Ｃ１Ｆと、ＥＴＢＥの給油量に関するＥＴＢＥ給油量情報３２４Ｃ１Ｇと、給油の対価に関する料金情報３２４Ｃ１Ｈと、決算方法に関する決算方法情報３２４Ｃ１Ｉと、などを１つのデータ構造に関連付けた売上情報３２４Ｃ１を複数記憶している。なお、決算情報は、例えば詳細は後述するが、いわゆるカード決算である場合には利用者のカード決算に必要な情報も含まれる。
また、記憶部３２４は、操作部３２３で入力操作される各種設定事項の他、燃料油供給装置３００全体を動作制御するＯＳ（Operating System）上に展開される各種プログラムなども記憶している。
【００４７】
演算部３２５は、例えばＣＰＵを備え、送受信部３２１、表示部３２２、操作部３２３、記憶部３２４などと各種情報を送受信可能に接続する図示しない各種入出力ポートを有している。そして、演算部３２５は、プログラムとしての、信号検出手段としての成分認識手段３２５Ａと、混合割合設定手段３２５Ｂと、料金算出手段３２５Ｃと、計時手段３２５Ｄと、などを備えている。なお、給油装置３１０および演算部３２５の混合割合設定手段３２５Ｂとにより、本発明の供給手段が構成される。また、演算部３２５の混合割合設定手段３２５Ｂと、給油装置３１０の給油制御手段３１２により、本発明の制御手段が構成される。
【００４８】
成分認識手段３２５Ａは、油種設定手段２００から出力され送受信部３２１を介して取得した設定信号である油種情報３２４Ｃ１Ｃ、あるいは操作部３２３でガソリンスタンドの作業者や利用者自身が入力操作により設定したガソリンの成分であるエタノールやＥＴＢＥの混合割合に関し適応可能な混合燃料としての油種、例えばエタノールの混合割合が比較的に少ない例えば約３％の「Ｅ３」やエタノールの混合割合が比較的に多い例えば約１０％の「Ｅ１０」などの設定信号である油種情報３２４Ｃ１Ｃを取得する。
そして、供給するガソリンの成分、例えば「ガソリン」、「Ｅ３」、「Ｅ１０」などの油種を認識した成分認識手段３２５Ａは、このガソリンの成分に関する成分情報を、混合割合設定手段３２５Ｂへ出力する。
また、成分認識手段３２５Ａは、入力操作によりＥＴＢＥの混合量や混合割合などの設定信号もガソリンの成分に関する成分情報として取得し、混合割合設定手段３２５Ｂへ出力する。
【００４９】
混合割合設定手段３２５Ｂは、成分認識手段３２５Ａから出力される成分情報を取得するとともに、油種設定手段２００から出力される設定信号や操作部３２３の入力操作による設定信号における総給油量に関する総給油量情報３２４Ｃ１Ｄを取得する。そして、混合割合設定手段３２５Ｂは、成分情報および総給油量情報３２４Ｃ１Ｄに基づいて、車両１０へ供給するガソリン、エタノールおよびＥＴＢＥの混合割合、すなわちガソリン、エタノールおよびＥＴＢＥのそれぞれの供給量を算出し、給油装置３１０へ送受信部３２１を介して出力する。
【００５０】
例えば、成分情報として「ガソリン」、給油量情報として１００リットルの場合には、ガソリンのみ１００リットルを給油装置３１０から給油させる旨の制御信号であるガソリンの供給量に関する信号であるガソリン給油量情報３２４Ｃ１Ｅを生成し、このガソリン供給量情報３２４Ｃ１Ｄを給油装置３１０へ出力する。
また、例えば、成分情報として「Ｅ１０」、給油量情報として１００リットルの場合には、ガソリンが９０リットル、エタノールが１０リットルを給油装置３１０から給油させる旨の信号であるガソリン供給量情報３２４Ｃ１Ｄおよびエタノールの供給量に関する信号であるエタノール給油量情報３２４Ｃ１Ｆの双方を給油装置３１０へ出力する。
そして、例えば、成分情報として「Ｅ３」でありエタノールに代えてＥＴＢＥを要求している場合、ＥＴＢＥにエタノールが含有されているので、エタノールとして３％となる割合であるＥＴＢＥを７％添加する。具体的には、ガソリンが９３リットル、ＥＴＢＥが７リットルを供給装置３１０から給油させる旨の信号であるガソリン供給量情報３２４Ｃ１ＤおよびＥＴＢＥの供給量に関する信号であるＥＴＢＥ給油量情報３２４Ｃ１Ｇの双方を給油装置３１０へ出力する。そして、エタノールの一部をＥＴＢＥに置換する場合には、ガソリン、エタノールおよびＥＴＢＥの各供給条件の情報を出力することとなる。
なお、例えば、ガソリンとして既にエタノールが３％含有された「Ｅ３」を利用する構成で、成分情報として「Ｅ１０」、給油量情報として１００リットルの場合、ガソリンが９２．８リットル、エタノールが７．２リットルとなる供給条件とすればよい。
【００５１】
料金算出手段３２５Ｃは、給油装置３１０の給油に基づいて給油装置３１０で検出され出力されるガソリンの供給量である流量に関する情報、エタノールの供給量である流量に関する情報およびＥＴＢＥの供給量である流量に関する情報を、送受信部３２１を介して取得する。そして、料金算出手段３２５Ｃは、記憶部３２４の燃料油情報蓄積手段３２４Ａに記憶されたガソリンの単価の情報、エタノール情報蓄積手段３２４Ｂに記憶されたエタノールの単価の情報およびＥＴＢＥ情報蓄積手段３２４Ｃに記憶されたＥＴＢＥの単価の情報を適宜読み出し、取得したガソリンの供給量、エタノールの供給量およびＥＴＢＥの供給量に基づいて、給油による対価すなわち料金を算出する。
この算出した料金に関する情報は、ガソリンの供給量に関する情報、エタノールの供給量に関する情報およびＥＴＢＥの供給量に関する情報とともに、表示部３２２へ出力されて適宜画面表示される。また、油種設定手段２００との情報の送受信に基づいて給油した場合においては、料金に関する情報、ガソリン、エタノールおよびＥＴＢＥの供給量に関する情報とともに、送受信部３２１を介して油種設定手段２００へ出力し、端末表示部２２０で画面表示させる。
そして、料金算出手段３２５Ｃは、給油が終了し、精算方法の設定や決算の実行などを認識すると、売上に関するＩＤ番号を設定するとともに後述する計時手段３２５Ｄで計時する現在時刻を給油日時として設定して、油種や給油量などの取得した各種情報に基づいて売上情報３２４Ｃ１を生成し、売上情報蓄積手段３２４Ｄへ出力して順次記憶させる処理をする。
【００５２】
なお、料金算出手段３２５Ｃは、給油が終了し、精算方法の設定や決算の実行などを認識すると、決済処理を実行してもよい。
ここで、給油の終了としては、例えば給油ノズル３１１Ｊを所定位置に格納されたことを検出する検出信号、給油が終了した旨の操作部３２３の入力操作による操作信号、精算方法の設定や決算の実行をする操作部３２３の入力操作による操作信号などの認識が例示できる。
そして、決算処理としては、精算方法の設定における現金支払いか、各金融機関が管理する付加価値通信網(Value-Added Network:ＶＡＮ)であるいわゆる金融ＶＡＮに構築されたファームバンキング(Firm Banking:ＦＢ)を利用する決算であるいわゆるカード決算かを、例えば油種設定手段２００から出力される設定信号や操作部３２３からの入力操作に基づく設定信号に基づいて認識する。そして、いわゆるカード決算が入力設定されたことを認識すると、ファームバンキングにより決算処理を実施、あるいはガソリンスタンドの管理者が決算処理を実施すべく、決算処理を促す表示画面を表示部３２２で画面表示させる処理などをする。
【００５３】
計時手段３２５Ｄは、例えば内部クロックなどの基準パルスに基づいて現在時刻を認識する。そして、この計時手段３２５Ｄは、認識した現在時刻に関する時刻情報を適宜出力する。
【００５４】
〔燃料油供給システムの動作〕
次に、上記燃料油供給システム１００における燃料油を供給する動作について、図面を参照して説明する。
なお、給油処理として、油種設定手段からの自動的な給油処理について説明するが、例えば給油制御装置３２０の操作部３２３をガソリンスタンドの作業者や利用者自身が入力操作して、給油する油種や給油量などを設定入力してもよい。
図５は、燃料油供給システムにおける油種設定手段と燃料油供給装置との給油処理のための動作を示すフローチャートである。図６は、油種設定手段における給油処理のための設定画面を示す概念図である。
【００５５】
油種設定手段２００を搭載する車両１０がガソリンスタンドへ入車されて燃料油供給装置３００に近接する所定の給油領域に停車されると、図５に示すように、燃料油供給装置３００が車両１０を検出し（ステップＳ１０１）、給油制御装置３２０の演算部３２５が送受信部３２１より所定のアクセス信号を出力する（ステップＳ１０２）。
このステップＳ１０２で給油制御装置３２０から出力されるアクセス信号を油種設定手段２００の端末送受信部２１０を介して端末制御部２５０が認識すると（ステップＳ１０３）、端末制御部２５０は給油のための設定処理を実施する。
【００５６】
例えば、端末制御部２５０は端末記憶部２４０にあらかじめ記憶された所定のフォームに基づいて、図６に示すような端末表示部２２０に給油のための設定画面４１０を画面表示させる（ステップＳ１０４）。なお、図６は、給油量の設定入力を促す領域４１１、および算出方法の設定入力を促す領域４１２としてリストボックス状に構成した設定画面４１０を例示するがこの限りではなく、例えば操作部３２３による入力操作にて適宜給油量を数値入力するテキストボックスの構成としたり、決算方法の記述に対応して設けられたラジオボタンなどを設けるなど、各種設定入力可能な構成が適用できる。また、油種として、既に設定された構成を例示するが、領域４１１，４１２のように設定できる構成としてもよい。さらには、混合するエタノールやＥＴＢＥの給油量、あるいは置換量もしくは混合割合などを手動により設定できる構成としてもよい。
そして、利用者が設定画面の画面表示に従って、端末操作部２３０による入力操作にて、設定画面における給油量の設定入力を促す領域および決算方法の設定入力を促す領域に、各種設定事項を入力すると、端末制御部２５０は給油条件に関する給油条件情報を生成する（ステップＳ１０５）。
具体的には、端末制御部２５０は、あらかじめ端末記憶部２４０に記憶された適応可能な燃料油の油種に関する油種情報３２４Ｃ１Ｃ、設定入力された総給油量に関する総給油量情報３２４Ｃ１Ｄと、決算方法に関する決算方法情報３２４Ｃ１Ｉと、を１つのデータ構造に関連付けて給油条件情報を生成する。例えば図６の設定画面では、油種情報３２４Ｃ１Ｃとして「Ｅ１０」、総給油量情報３２４Ｃ１Ｄとして「満タン」、決算方法情報３２４Ｃ１Ｈとして「現金」を例示する。
なお、決算方法として、いわゆるカード決算の場合には、あらかじめ端末記憶部２４０に記憶され油種設定手段２００の利用者を特定する個人情報、あるいは本システムを利用するためにあらかじめ会員登録された際に個人情報に含まれるカード番号や会員番号などの情報が決算方法情報３２４Ｃ１Ｉに含まれて給油条件情報が構成されるなどが例示できる。
【００５７】
そして、端末制御部２５０は、生成した給油条件情報を端末送受信部２１０を介して燃料油供給装置３００へ出力する。この油種設定手段２００から出力される給油条件情報を、燃料油供給装置３００の給油制御装置３２０の演算部３２５が送受信部３２１を介して取得すると（ステップＳ１０６）、演算部３２５の成分認識手段３２５Ａにより給油条件情報の油種に関する油種情報を認識する（ステップＳ１０７）。
また、端末制御部２５０の混合割合設定手段３２５Ｂは、成分認識手段３２５Ａで認識した油種情報と、給油条件情報の総給油量情報３２４Ｃ１Ｄとに基づいて、車両１０へ供給するガソリンおよびエタノールの混合割合を演算する。なお、エタノールに代えてあるいはエタノールの一部をＥＴＢＥに置換するなどの成分情報を取得している場合には、ＥＴＢＥの混合割合を演算する。
例えば、ガソリンおよびエタノール、さらにはＥＴＢＥのそれぞれの供給量を算出し、ガソリンの給油量に関するガソリン給油量情報３２４Ｃ１Ｅと、エタノールの給油量に関するエタノール給油量情報３２４Ｃ１Ｆと、ＥＴＢＥの給油量に関するＥＴＢＥ給油量情報３２４Ｃ１Ｇと、を生成する。そして、演算部３２５は、演算した混合割合に関する情報であるガソリン給油量情報３２４Ｃ１Ｅ、エタノール給油量情報３２４Ｃ１ＦおよびＥＴＢＥ給油量情報３２４Ｃ１Ｇを給油装置３１０へ送受信部３２１を介して出力する（ステップＳ１０８）。
【００５８】
このステップＳ１０８で給油制御装置３２０から出力されるガソリン給油量情報３２４Ｃ１Ｅ、エタノール給油量情報３２４Ｃ１ＦおよびＥＴＢＥ給油量情報３２４Ｃ１Ｇを給油装置３１０が取得すると、給油制御手段３１２の燃料油流量制御手段３１２Ａ、エタノール流量制御手段３１２ＢおよびＥＴＢＥ流量制御手段３１２Ｃにより、給油ノズル３１１Ｊを介して給油するガソリンとエタノールとＥＴＢＥとの各流量を認識する（ステップＳ１０９）。
例えば、ガソリンの供給量が９０リットルでエタノールの供給量が１０リットルの場合、燃料油流通経路３１１Ｂを流通させるガソリンの流量と、エタノール流通経路３１１Ｅを流通させるエタノールの流量とが、容積比で９：１となる流量となる状態に各流量を設定する。
そして、給油装置３１０は、給油の開始操作の待機状態となる。
【００５９】
また、ステップＳ１０９の後、給油制御装置３２０の演算部３２５は、給油の開始が可能である給油可能状態の報知処理をする（ステップＳ１１０）。
例えば、演算部３２５は、給油の開始可能状態を報知する旨の表示画面を表示部３２２に画面表示させたり、給油の開始可能状態を報知する旨の信号を送受信部３２１から油種設定手段２００へ出力したりする。この給油の開始可能状態を報知する旨の信号を受信した油種設定手段２００は、端末表示部２２０でその旨を報知する画面表示をさせる処理をする。
【００６０】
そして、ステップＳ１１０による報知処理により、油種設定手段２００の画面表示を認識した利用者自身、あるいは表示部３２２の画面表示を認識したガソリンスタンドの作業者が給油ノズル３１１Ｊを所定の位置から取り外し、車両１０の図示しない給油口に給油ノズル３１１Ｊが装着され、給油ノズル３１１Ｊのレバー操作にて開閉弁が開かれると、この操作に基づく給油要求信号が生成される（ステップＳ１１１）。
この給油要求信号を認識した給油装置３１０は、給油制御手段３１２により給油処理する（ステップＳ１１２）。すなわち、燃料油流量制御手段３１２Ａにより、燃料油流通経路３１１Ｂのポンプや電磁バルブなどを制御して燃料油貯蔵手段３１１Ａに貯蔵されたガソリンを、燃料油流量検出手段３１１Ｃからのガソリン流量信号を認識しつつあらかじめ演算した流量で燃料油流通経路３１１Ｂに流通させる。さらに、エタノール流量制御手段３１２Ｂにより、エタノール流通経路３１１Ｅのポンプや電磁バルブなどを制御してエタノール貯蔵手段３１１Ｄに貯蔵されたエタノールを、エタノール流量検出手段３１１Ｆからのエタノール流量信号を認識しつつあらかじめ演算した流量でエタノール流通経路３１１Ｅに流通させる。
なお、エタノールをＥＴＢＥで置換する場合には、ＥＴＢＥ流量制御手段３１２Ｃにより、ＥＴＢＥ流通経路３１１Ｈのポンプや電磁バルブなどを制御してＥＴＢＥ貯蔵手段３１１Ｇに貯蔵されたＥＴＢＥを、ＥＴＢＥ流量検出手段３１１ＩからのＥＴＢＥ流量信号を認識しつつあらかじめ演算した流量でＥＴＢＥ流通経路３１１Ｈに流通させる。
これら流通するガソリン、エタノールおよびＥＴＢＥは、給油ノズル３１１Ｊから混合されつつ車両１０の燃料タンク１１へ供給される。
【００６１】
そして、油種設定手段２００で設定された要求する給油量に達した、あるいは給油ノズル３１１Ｊが所定位置に格納されたことを検出する検出信号や給油が終了した旨の操作部３２３の入力操作による操作信号を認識するなど、給油が終了したことを給油装置３１０が認識すると、その旨の信号が給油制御装置３２０に出力される（ステップＳ１１３）。
この給油が終了した旨の信号を取得した給油制御装置３２０の演算部３２５は、料金算出手段３２５Ｃにより、給油の対価となる料金を演算する処理をする（ステップＳ１１４）。例えば、給油装置３１０の給油制御手段３１２から給油が終了した旨の信号とともに送信されるガソリン、エタノールおよびＥＴＢＥの各供給した供給量である各流量に関する情報と、記憶部３２４の燃料油情報蓄積手段３２４Ａに記憶されたガソリンの単価の情報、エタノール情報蓄積手段３２４Ｂに記憶されたエタノールの単価の情報およびＥＴＢＥ情報蓄積手段３２４Ｃに記憶されたＥＴＢＥの単価の情報とに基づいて、料金を算出する。
そして、料金算出手段３２５Ｃは、料金に関する情報である料金情報３２４Ｃ１Ｈをガソリン、エタノールおよびＥＴＢＥの供給量に関する情報とともに、表示部３２２へ出力させて適宜画面表示させる。
さらに、料金算出手段３２５Ｃは、売上に関するＩＤ番号を設定するとともに後述する計時手段３２５Ｄで計時する現在時刻を給油日時として設定し、あらかじめ油種設定手段２００より取得した決算方法情報とともに取得した各種情報から売上情報３２４Ｃ１を生成し、売上情報蓄積手段３２４Ｄへ出力して順次記憶させる処理をし（ステップＳ１１５）、給油制御処理が終了する。
【００６２】
一方、ステップＳ１１４で料金を算出した演算部３２５は、料金に関する情報である料金情報３２４Ｃ１Ｈをガソリン、エタノールおよびＥＴＢＥの供給量に関する情報とともに、表示部３２２へ出力させる。この出力された料金情報３２４Ｃ１Ｈとガソリン、エタノールおよびＥＴＢＥの供給量に関する情報とを受信した油種設定手段２００は（ステップＳ１１６）、端末制御部２５０により端末表示部２２０で画面表示させる処理をする。
そして、端末制御部２５０は、端末表示部２２０で画面表示される給油結果の表示画面を確認した利用者が、確認した旨の入力操作を促す表示などに基づいて端末操作部２３０による入力操作を実施したことを認識すると（ステップＳ１１７）、給油制御処理が終了する。
【００６３】
〔燃料供給システムの作用効果〕
上述したように、上記実施の形態では、成分認識手段３２５Ａにより車両１０へ供給するガソリンの成分に関する設定信号を検出すると、この検出した設定信号に基づいて、混合割合設定手段３２５Ｂによりガソリン、エタノールおよびＥＴＢＥの混合割合を設定する。そして、混合割合設定手段３２５Ｂにより設定した混合割合に基づいて、給油装置３１０で燃料油貯蔵手段３１１Ａに貯蔵されたガソリン、エタノール貯蔵手段３１１Ｄに貯蔵されたエタノールおよびＥＴＢＥ貯蔵手段３１１Ｇに貯蔵されたＥＴＢＥを車両１０へ適宜供給させる。
このため、利用者自身の入力操作やあらかじめ車両１０の適応ガソリンと設定されるなどにより利用者による入力設定に対応し利用者が要求するガソリンの成分で、エタノールやＥＴＢＥがガソリンに混合した状態で供給されるので、利用者毎に対応した成分でガソリンを供給できる。また、例えば大気中の二酸化炭素を炭素分として固定する植物などの農林産物やバイオマスを燃料として利用可能としたエタノール、さらにはこのエタノールから生成したＥＴＢＥを利用しても、エタノール分に対応する量の大気中の二酸化炭素はネットで増加しないことから、利用者による入力設定に応じてガソリンの少なくとも一部をエタノールやＥＴＢＥに置換することで、車両１０から排出される排ガス中の二酸化炭素などの炭酸ガスの排出量が低減することとなり、大気汚染も抑制できる。
そして、利用量が多い車両１０の燃料油、特にガソリンの一部を置換することで、大気汚染を良好に抑制できる。
さらに、酸素含有炭化水素化合物としてエタノールに代えてエーテル、特にＥＴＢＥを用いるので、アルコール自体を混合する場合に比してドライコロージョンなどの不都合が生じにくく取扱が容易で給油経路の構成の簡略化が図れるとともに、燃料油としてオクタン価が増大するので、車両１０の出力増大にも寄与できる。
【００６４】
そして、成分認識手段３２５Ａにより、車両１０に設けられた油種設定手段２００から出力されガソリンとして適応可能な成分に関する設定信号を取得して、車両１０へ供給するガソリンの成分に関する信号として検出している。
このため、利用者が要求するガソリンの成分として手動により入力設定する入力操作が不要となり、自動的にガソリン、エタノールおよびＥＴＢＥの混合割合が設定されて供給されるので、利便性を向上でき、利用の拡大が容易に得られる。特に、例えばガソリンの適用可能な成分がそれぞれ異なる車両１０へガソリンを供給するガソリンスタンドでは、各利用者がガソリンの供給を受ける毎に入力操作を実施する必要がなく、より好適である。
さらに、油種設定手段２００として、無線媒体２１２により出力される設定信号を受信して成分認識手段３２５Ａによりガソリンの成分に関する設定信号として取得する構成としている。このため、より簡単な構成で容易に自動的な給油の構成が得られる。
【００６５】
また、混合割合設定手段３２５Ｂにより、成分認識手段３２５Ａで検出した設定信号に基づいてガソリン、エタノールおよびＥＴＢＥの混合割合を設定する。そして、給油制御手段３１２により、設定した混合割合に基づいて、燃料油流通経路３１１Ｂを流通するガソリンの流通状態である流量と、エタノール流通経路３１１Ｅを流通するエタノールの流通状態である流量と、ＥＴＢＥ流通経路３１１Ｈを流通するＥＴＢＥの流通状態である流量と、を制御している。この流量が制御されて燃料油流通経路３１１Ｂを流通するガソリン、エタノール流通経路３１１Ｅを流通するエタノールおよびＥＴＢＥ流通経路３１１Ｈを流通するＥＴＢＥを、給油ノズル３１１Ｇから車両１０へ混合した状態で供給させている。
このため、例えば、燃料油貯蔵手段３１１Ａに貯蔵されたガソリンを流通させる燃料油流通経路３１１Ｂにおけるポンプやバルブ、エタノール貯蔵手段３１１Ｄに貯蔵されたエタノールを流通させるエタノール流通経路３１１Ｅにおけるポンプやバルブ、ＥＴＢＥ貯蔵手段３１１Ｇに貯蔵されたＥＴＢＥを流通させるＥＴＢＥ流通経路３１１Ｈにおけるポンプやバルブなどを制御する簡単な構成で、利用者が要求する所定の成分でガソリンを供給できる。
さらに、給油ノズル３１１Ｊまで独立してガソリン、エタノールおよびＥＴＢＥが流通して給油ノズル３１１Ｊから車両１０の燃料タンク１１へ給油する際に混合する構成としているので、給油するまでに流路中で混合するガソリン、エタノールおよびＥＴＢＥが残留することがなく、次に利用する利用者へ供給する成分が変動してしまったり、変動しないように残留物の成分を認識するための構成が必要となったりするなどの不都合を防止でき、簡単な構成で良好に車両１０へ要求された成分でガソリンを供給できる。
【００６６】
そして、給油を受ける車両１０に搭載された油種設定手段２００からの設定信号に基づいて自動的に油種を認識して適切な成分のガソリンを供給する構成としているので、あらかじめカード番号などのＦＢを利用した決算のための情報をも油種設定手段２００に設定しておくことが容易にでき、このことによりいわゆるカード決算もでき、より使い勝手の向上が得られる。
また、自動的に油種を設定して適切な成分のガソリンを供給する構成としているため、利用者が誤った操作により、異なる成分で給油してしまい、良好な車両１０の出力が得られなくなるなどの不都合も防止できる。
【００６７】
また、給油装置３１０の給油制御手段３１２および給油制御装置３２０の演算部３２５を例えばＣＰＵなどを用いてプログラムとして構成しているので、プログラムをインストールすることで、利用者が要求する成分で燃料油を供給できる構成を容易に構築でき、利用の拡大が容易に図れる。さらには、そのプログラムを記録媒体に記録し、演算手段、すなわちコンピュータに適宜読み取らせる構成とすることで、容易に本機能を提供できる構成が得られるとともに、プログラムを容易に取り扱いでき、利用の拡大が容易にできる。
【００６８】
〔実施の形態の変形〕
なお、以上説明した態様は、本発明の一態様を示したものであって、本発明は、上述した各実施の形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしても適用できる。
例えば、上述したように、混合燃料油の基材としてガソリンを対象としたが、例えばディーゼルエンジンを内燃機関とした車両１０や発電機、農工機などのために軽油を基材としたり、暖房用機器を混合燃料油被供給体として灯油を基材としたり、ナフサや重油を基材とするなどしてもよい。
【００６９】
そして、燃料油の油種に基づいて供給を受けるガソリンの成分を認識、すなわち利用者が要求するエタノールやＥＴＢＥの混合割合を認識して供給する構成について例示したが、例えば直接的にエタノールやＥＴＢＥの混合割合に関する情報を取得してガソリンの成分を認識して供給する構成とするなどしてもよい。
さらに、油種設定手段２００からの油種情報によりガソリンとエタノールとの混合する割合となる「ガソリン」、「Ｅ３」、「Ｅ１０」などを認識し、手動によりＥＴＢＥの混合する割合を設定する構成を例示したが、自動的にＥＴＢＥの混合割合を認識できる構成とするなどしてもよい。
【００７０】
また、給油ノズル３１１Ｊの位置までガソリンとエタノールとＥＴＢＥとがそれぞれ流通され、給油時に混合される構成について例示したが、この構成に限られない。例えば、ガソリンとエタノールとＥＴＢＥとを混合する混合装置を設け、この混合装置に燃料油流通経路３１１Ｂとエタノール流通経路３１１ＥとＥＴＢＥ流通経路３１１Ｈとを接続し、混合装置で混合したガソリンとエタノールおよびＥＴＢＥのうちの少なくともいずれか一方との混合燃料油の全量を給油ノズル３１１Ｊから供給させる構成とするなどしてもよい。このような構成によれば、あらかじめ均一に混合された混合燃料油を供給できる。
【００７１】
さらに、油種設定手段２００から出力されるあらかじめ設定された油種情報に基づいて自動的に混合するエタノール量やＥＴＢＥ量を認識して給油する構成を例示して説明したが、この構成に限られない。例えば、油種設定手段２００の端末操作部２３０や給油制御装置３２０の操作部３２３における手動操作により、混合するエタノールやＥＴＢＥの混合量や混合割合を変更できる構成としてもよい。このように、手動による設定により、利用者毎に異なる要求の成分で給油できることから、例えば車両１０が「Ｅ１０」であるが、利用者が大気汚染の影響を考慮して手動によりエタノールやＥＴＢＥの混合する割合を増大させて給油を受けることも可能となり、より利用者の所望とする成分での給油を実施できる。
特に、自動により成分を認識する構成と入力操作により成分を認識する手動の構成との組み合わせにより、より適切で利用者の要求に応じた給油を実施できる。
また、油種設定手段２００から自動的に添加可能なエタノール量に関する情報、例えば「Ｅ３」や「Ｅ１０」などを取得させ、手動によりエタノールを増加させる旨の信号を認識する場合において、例えばエタノールの増加可能な最大値を超えないように制御したり、上限値を報知するなどの制御をしたりしてもよい。
【００７２】
そして、燃料油供給部３１１として、エタノール貯蔵手段３１１ＤおよびＥＴＢＥ貯蔵手段３１１Ｇを設けて説明したが、この限りではない。すなわち、上述したように、例えば、エタノールのみ混合する構成や、エタノールにガソリンあるいは酸素含有炭化水素化合物含有のガソリンを混合する構成の場合には、ＥＴＢＥ貯蔵手段３１１ＧやＥＴＢＥ流通経路３１１Ｈ、あるいはＥＴＢＥ流量検出手段３１１Ｉなどを設けなくてもよい。同様に、ＥＴＢＥのみ混合する構成やＥＴＢＥにガソリンあるいは酸素含有炭化水素化合物含有のガソリンを混合する構成の場合には、エタノール貯蔵手段３１１Ｄやエタノール流通経路３１１Ｅ、エタノール流量検出手段３１１Ｆなどを設けなくてもよい。
さらには、エタノールやＥＴＢＥの他にエステルを混合する構成を加えてもよい。具体的には、エステルを貯蔵するタンクなどのエステル貯蔵手段、エステルを流通するエステル流通経路、流量を検出するエステル流量検出手段を設けてもよく、エタノールやＥＴＢＥを混合せず、上述したように例えば軽油にエステルを混合する構成では、これらの構成のみとしてもよい。
なお、エステルとしては、油脂とアルコールとを原料として合成したもので、油脂としては、動植物油脂や廃食用油などが環境保護の観点から好ましい。アルコールとしても、上述したように、農林産物やバイオマスなどから生成したバイオエタノールやバイオメタノールなどのバイオアルコールが環境保護の観点から好ましい。
また、環境保護の観点から利用される油脂としては、牛乳脂、牛脂、豚脂、アマニ油、サフラワー油、ヒマワリ油、大豆油、コーン油、綿実油、ごま油、オリーブ油、パーム油、バーム核油、ヤシ油、ヒマシ油、ココナッツ油、イワシ油、サバ油、マグロ油、サメ肝油、落花生油、ナタネ油、廃食用油などが例示できる。
さらに、油脂としては、各種脂肪酸が利用できる。例えば、酪酸、カプロン酸、カプリル酸、カプリン酸、ラウリン酸、ミリスチン酸、パルミチン酸、パルミトレイン酸、ステアリン酸、オレイン酸、リノール酸、リノレン酸、モロクチン酸、アラキジン酸（エイコサン酸）、エイコセン酸、アラキドン酸、エイコサペンタエン酸、ベヘニン酸、エルカ酸、ドコサペンタエン酸、ドコサヘキサエン酸、リグノセリン酸、セラコレン酸などが、単体あるいは組み合わせて利用できる。
【００７３】
その他、本発明の実施における具体的な構造および形状などは、本発明の目的を達成できる範囲で他の構造などとしてもよい。
【産業上の利用可能性】
【００７４】
本発明の燃料油供給装置は、例えばガソリンスタンドにおいて自動車などに対して、あるいは給油所における軌道車や船舶あるいは飛行機などに対して給油する装置で、燃料油に酸素含有炭化水素化合物を適宜混合して供給するための構成として有利に利用することができる。
【図面の簡単な説明】
【００７５】
【図１】本発明の燃料油供給装置における実施の一形態に係る燃料油供給システムの概略構成を示す概念図である。
【図２】前記一実施の形態における燃料油供給システムを構成する油種設定手段の概略構成を示すブロック図である。
【図３】前記一実施の形態における燃料油供給システムを構成する燃料油供給装置の概略構成を示すブロック図である。
【図４】前記一実施の形態における給油制御装置の記憶部における売上情報蓄積手段のテーブル構造を示す概念図である。
【図５】前記一実施の形態における燃料油供給システムにおける油種設定手段と燃料油供給装置との給油処理のための動作を示すフローチャートである。
【図６】前記一実施の形態における油種設定手段における給油処理のための設定画面を示す概念図である。
【符号の説明】
【００７６】
１０……燃料油被供給体としての車両
１００……燃料油供給装置としても機能する燃料油供給システム
２００……出力手段としての油種設定手段
２３０……操作手段としても機能する端末操作部
３００……燃料油供給装置
３１１Ａ…燃料油貯蔵手段
３１１Ｂ…給油経路を構成する燃料油流通経路
３１１Ｄ…化合物貯蔵手段としても機能するエタノール貯蔵手段
３１１Ｅ…給油経路を構成する化合物流通経路としても機能するエタノール流通経路
３１１Ｇ…化合物貯蔵手段としても機能するＥＴＢＥ貯蔵手段
３１１Ｈ…給油経路を構成する化合物流通経路としても機能するＥＴＢＥ流通経路
３１１Ｊ…供給部としての給油ノズル
３１２……演算手段としても機能し供給手段および制御手段を構成する給油制御手段
３２３……操作手段としての操作部
３２５……演算手段として機能する演算部
３２５Ａ…信号検出手段としての成分認識手段
３２５Ｂ…供給手段および制御手段を構成する混合割合設定手段
【図１】
2007055661.tif 000003
【図２】
2007055661.tif 000004
【図３】
2007055661.tif 000005
【図４】
2007055661.tif 000006
【図５】
2007055661.tif 000007
【図６】
2007055661.tif 000008